(57)【要約】【課題】簡単な動作で短時間にぬいぐるみの擬毛を変色できる可逆熱変色性ぬいぐるみセットを提供する。【解決手段】可逆熱変色性ぬいぐるみセットは、可逆熱変色性ぬいぐるみとブラシ部材２とから構成される。可逆熱変色性ぬいぐるみは、可逆熱変色性材料を固着してなる擬毛を備えた表皮材を用いて構成される。ブラシ部材２は、擬毛をブラッシングするためのブラシ部８を備えると共に、そのブラシ部８領域内に位置して、ニクロム線１０が表面に露出して配置された構造とされる。【選択図】        図２
2004321668.tif 000002
【特許請求の範囲】
【請求項１】
可逆熱変色性材料を固着してなる擬毛を備えた表皮材を用いた可逆熱変色性ぬいぐるみと、前記擬毛をブラッシングするためのブラシ部を備えると共に、そのブラシ部領域内に位置して、加熱部もしくは冷却部が表面に露出して配置されたぬいぐるみ付属品とからなることを特徴とする可逆熱変色性ぬいぐるみセット。
【請求項２】
前記ぬいぐるみ付属品における前記加熱部にサーミスタ素子を用いたことを特徴とする請求項１に記載の可逆熱変色性ぬいぐるみセット。
【請求項３】
擬毛を備えた表皮材を用いたぬいぐるみに可逆熱変色性顔料を含有する塗料が吹き付け塗装された可逆熱変色性ぬいぐるみと、前記擬毛をブラッシングするためのブラシ部を備えると共に、そのブラシ部領域内に位置して、加熱部もしくは冷却部が表面に露出して配置されたぬいぐるみ付属品とからなることを特徴とする可逆熱変色性ぬいぐるみセット。
【請求項４】
前記可逆熱変色性ぬいぐるみの一部に、前記可逆熱変色性顔料を含有する塗料が吹き付け塗装されてなることを特徴とする請求項３に記載の可逆熱変色性ぬいぐるみセット。
【請求項５】
前記可逆熱変色性顔料を含有する塗料がマスキングを介して吹き付け塗装されてなることを特徴とする請求項４に記載の可逆熱変色性ぬいぐるみセット。
【請求項６】
前記ぬいぐるみ付属品における前記加熱部にサーミスタ素子を用いたことを特徴とする請求項３ないし請求項５のいずれかに記載の可逆熱変色性ぬいぐるみセット。
【発明の詳細な説明】
【０００１】
【発明の属する技術分野】
本発明は、加熱もしくは冷却によりぬいぐるみに備えられた擬毛を変色させることができる可逆熱変色性ぬいぐるみセットに関するものである。
【０００２】
【従来の技術】
従来、熱変色性頭髪を備えた人形と、発熱部を有するヘアブラシを模した人形用付属品とを備え、人形の熱変色性頭髪を人形用付属品でブラッシングすることにより頭髪を加熱して変色させるようにしたものがある（例えば、特許文献１参照。）。
【０００３】
また、可逆熱変色性布帛を表皮材として用いてなる可逆熱変色性ぬいぐるみと、先端部が硬質材により形成されてなる加熱または冷却変色具とを備え、可逆熱変色性ぬいぐるみを加熱または冷却変色具でなぞることにより変色させるようにしたものがある（例えば、特許文献２参照。）。
【０００４】
さらに、冷却開始温度に応じて選択反射波長が異なる状態で固定化する低分子コレステリック液晶を含む人工毛髪を備えた可逆変色性玩具を、低分子コレステリック液晶の等方相への転移温度以上に加熱して透明状態とし、所望の選択反射を行う温度に保つことで変色させ、さらに急冷することで変色を固定するものがある（例えば、特許文献３参照。）。
【０００５】
【特許文献１】
実用新案登録第３０６５２３０号公報
【特許文献２】
特開平１１−１２８５４０号公報
【特許文献３】
特開２００１−３８０６４号公報
【０００６】
【発明が解決しようとする課題】
しかしながら、特許文献１に開示の構造によれば、発熱部が人形用付属品の内部に収納された構造とされているため、熱変色性頭髪に当該付属品を押し当てても頭髪に熱が伝わりにくく、短時間で頭髪の変色が得られないという欠点があった。
【０００７】
また、特許文献２に開示の構造によれば、変色具はその先端部のみに限定して加熱部または冷却部を有することから、長い擬毛を備えたぬいぐるみの毛並みを整えるしぐさにより擬毛を変色させることは困難であった。
【０００８】
さらに、特許文献３に開示の構造によれば、人工毛髪は毛髪素材の表面に黒色塗装を施し、さらにその上にコレステリック液晶を塗布する構造であり、２層の塗装が必要とされ、その毛髪の変色に際しても、一旦、転移温度以上に加熱して透明状態とし、所望の選択反射を行う温度に保つことで変色させ、さらに急冷する作業が必要となり、変色させる遊び方も大変手間を要するという欠点があった。
【０００９】
そこで、本発明の課題は、簡単な動作で短時間にぬいぐるみの擬毛を変色できる可逆熱変色性ぬいぐるみセットを提供することにある。
【００１０】
【課題を解決するための手段】
前記目的を達成するための第１の技術的手段は、可逆熱変色性材料を固着してなる擬毛を備えた表皮材を用いた可逆熱変色性ぬいぐるみと、前記擬毛をブラッシングするためのブラシ部を備えると共に、そのブラシ部領域内に位置して、加熱部もしくは冷却部が表面に露出して配置されたぬいぐるみ付属品とからなる点にある。
【００１１】
また、前記ぬいぐるみ付属品における前記加熱部にサーミスタ素子を用いた構造としてもよい。
【００１２】
前記目的を達成するための第２の技術的手段は、擬毛を備えた表皮材を用いたぬいぐるみに可逆熱変色性顔料を含有する塗料が吹き付け塗装された可逆熱変色性ぬいぐるみと、前記擬毛をブラッシングするためのブラシ部を備えると共に、そのブラシ部領域内に位置して、加熱部もしくは冷却部が表面に露出して配置されたぬいぐるみ付属品とからなる点にある。
【００１３】
また、前記可逆熱変色性ぬいぐるみの一部に、前記可逆熱変色性顔料を含有する塗料が吹き付け塗装されてなる構造としてもよい。
【００１４】
さらに、前記可逆熱変色性顔料を含有する塗料がマスキングを介して吹き付け塗装されてなる構造としてもよい。
【００１５】
また、前記ぬいぐるみ付属品における前記加熱部にサーミスタ素子を用いた構造としてもよい。
【００１６】
【発明の実施の形態】
以下、本発明の第１の実施形態を図面に基づいて説明すると、図１に示される如く、可逆熱変色性ぬいぐるみセットは、可逆熱変色性ぬいぐるみの一例としての犬のぬいぐるみ１と、ぬいぐるみ付属品の一例としてのブラシ部材２とからなる構造とされており、ぬいぐるみ１は可逆熱変色性材料を固着してなる所望長さの擬毛を備えた表皮材３を用いて構成されている。
【００１７】
前記表皮材３における擬毛としては、前記特許文献１にも開示のように、例えば、可逆熱変色性材料がブレンドされたポリオレフィン樹脂のフィラメント状成形体であればよく、また可逆熱変色性材料としては、例えば、常温〜８０℃程度の温度帯域で可逆的に変色する公知の電子供与性呈色性化合物と電子受容性顕色剤との組み合わせを基本とした可逆熱変色性材料を用いればよい。なお、可逆熱変色性材料としては、前記各特許文献に開示のものに何ら限られない。
【００１８】
前記ブラシ部材２は、合成樹脂等で中空状に形成されてなり、図２ないし図７に示される如く、一方側半部には手で把持するためのグリップ部５が備えられ、他方側半部にはブラシ本体部６が備えられている。そして、ブラシ本体部６の一側面には、適宜長さの櫛状突起７が所定間隔を有して縦横に多数突設されたブラシ部８が設けられた構造とされている。
【００１９】
また、ブラシ部８にはその領域内における幅方向中央部に、外方に向けて弧状に膨出する防護枠９が、ブラシ部材２の長さ方向に沿って、所定間隔を有して多数形成されており、各防護枠９によって形成された内部空間部に沿って加熱部としてのスミチューブ加工されたニクロム線１０が配置されている。そして、ニクロム線１０は各防護枠９間の間隙より表面に露出した構造とされている。
【００２０】
さらに、ブラシ部材２には、適宜備えられた開口部よりその内部空間部２ａ内に電池１１が出し入れ自在に構成されており、その開口部には着脱自在に蓋体が装着される構造とされている。そして、グリップ部５の背面側に配置されたスイッチ１２のスライド等によるオン操作により、図８に一例として示されるような回路を介して前記ニクロム線１０に電流が流れて発熱する構造とされると共に、ブラシ本体部６の背面側に配置された発光ダイオード１３が発光する構造とされており、発光ダイオード１３の発光によってスイッチ１２のオン状態を容易に確認できるように構成されている。
【００２１】
なお、ニクロム線１０は短時間で所望の温度まで上昇するように、その長さと太さが適宜調整されている。また、ブラシ部材２も適宜位置で分割構成されており、ネジ締結や接着等により互いに一体化できる構造とされている。
【００２２】
また、ブラシ部材２の内部空間部２ａに対するニクロム線１０による加熱を有効に防止すべく、ニクロム線１０と内部空間部２ａを仕切って断熱材１４が装着されている。
【００２３】
本実施形態は以上のように構成されており、ぬいぐるみ１の表皮材３に備えられた擬毛を変色させて遊ぶ場合には、先ずブラシ部材２のスイッチ１２をオン操作する。このスイッチ１２のオン操作により、発光ダイオード１３が発光すると共にニクロム線１０が発熱する。
【００２４】
このニクロム線１０の発熱状態で、ぬいぐるみ１の表面をブラシ部材２のブラシ部８でブラッシングすれば、ぬいぐるみ１の擬毛が各防護枠９間より表面に露出するニクロム線１０に接触して加熱され、変色させることができる。この際、表面に露出するニクロム線１０がぬいぐるみ１の擬毛に直接接触するため、擬毛を効率よく加熱でき、短時間のうちに擬毛を変色させることができる。また、ブラシ部８でのブラッシングにより表皮材３の擬毛を変色させる方式であり、長い擬毛であっても同様に変色させることができ、擬毛の長さにかかわらず効率よく変色させることができる。
【００２５】
ここに、ぬいぐるみ１表面の擬毛をブラシ部材２でブラッシングする簡単な動作のみで、短時間にぬいぐるみ１の擬毛を変色させることができ、幼児であっても容易に楽しみながら遊ぶことができる。
【００２６】
また、ブラシ部８の領域内に位置してニクロム線１０を配置する構造であり、ニクロム線１０の周囲を狭い間隔で配列された各櫛状突起７で囲む構造となっており、さらには、ニクロム線１０の長さ方向に沿って各防護枠９で間欠的に防護した構造であり、発熱しているニクロム線１０を直接、肌で触れるおそれがなく、安全性の向上が図れる利点もある。
【００２７】
さらに、図７に示されるように、各防護枠９間から露出するニクロム線１０部分が各櫛状突起７間に位置する構造とすることによって、ブラッシング時におけるニクロム線１０とぬいぐるみ１の擬毛との接触がより効率よくなされ、この点からも擬毛を効率よく加熱でき、擬毛の変色効果がより有効に現れる。
【００２８】
なお、上記実施形態においては、ブラシ部８の中央部に沿って単一本のニクロム線１０を配置した構造を示しているが、このような線状の加熱部の場合には、１列だけでなく２列、３列等のように複数列を配置する構造としてもよく、このような構造によれば、ぬいぐるみ１の擬毛と加熱部との直接接触の機会が多くなり、擬毛の変色効果がより顕著に現れる利点がある。
【００２９】
また、ニクロム線１０のように可撓性を有する加熱部にあっては、各櫛状突起７間を直線状に配置する構造に限らず、Ｓ字状やＵ字状等に配置する構造としてもよく、上記同様、ぬいぐるみ１の擬毛と加熱部との直接接触の機会が多くなる利点がある。
【００３０】
さらに、上記実施形態においては、構造の簡素化のため、ニクロム線１０の長さや太さで温度が調整される構造を示しているが、図９に示されるように、サーミスタ素子１５やトランジスタ１６を回路内に組み込んで温度制御を行う構造としてもよく、この場合には、むき出し状態のニクロム線を用いることも可能である。
【００３１】
また、上記第１の実施形態においては、可逆熱変色性材料を固着してなる擬毛を備えた表皮材３を用いてぬいぐるみ１を構成しているが、第２の実施形態として、擬毛を備えた表皮材３を用いて形成されたぬいぐるみ１に対して、可逆熱変色性顔料を含有する塗料を吹き付け塗装することにより可逆熱変色性ぬいぐるみ１を構成してもよい。
【００３２】
この際、可逆熱変色性顔料としては、例えば、常温〜８０℃程度の温度帯域で可逆的に変色する公知の電子供与性呈色性化合物と電子受容性顕色剤との組み合わせを基本とした可逆熱変色性材料を用いればよい。
【００３３】
また、ブラシ部材２は上記同様に構成されており、このぬいぐるみ１に対して第１の実施形態と同様にブラシ部材２でブラッシング操作すれば、擬毛が加熱され、変色させることができる。
【００３４】
従って、この第２の実施形態においても第１の実施形態と同様の効果を奏する。また、ぬいぐるみ１の擬毛に可逆熱変色性顔料を含有する塗料を吹き付け塗装する構造であるため、ぬいぐるみ１における擬毛の柔軟性を保つことができ、ぬいぐるみ１のしなやかさが失われることもなく、通常のぬいぐるみ１としての魅力を維持することができる利点もある。
【００３５】
さらに、可逆熱変色性顔料を含有する塗料を吹き付け塗装するに際して、ぬいぐるみ１の擬毛全体でなく、擬毛の一部に吹き付け塗装する構造や、マスキングを施して吹き付け塗装する構造とすれば、ぬいぐるみ１の表面に図１に示されるような隠し紋様１７を自由自在に付けることができ、ブラシ部材２でぬいぐるみ１の表面をブラッシングするしぐさにより隠し紋様１７が浮き出てくるため、ますます魅力あるぬいぐるみ１となる利点がある。
【００３６】
図１０ないし図１３は第３の実施形態を示しており、第１の実施形態と同様構成部分は同一符号を付し、その説明を省略する。
【００３７】
即ち、第１の実施形態におけるブラシ部材２の加熱部がスミチューブ加工されたニクロム線１０で構成されているのに対して、本実施形態においては、自己温度調節機能を有する面状発熱体１８が採用された構造とされている。この際、可逆熱変色性材料もしくは可逆熱変色性顔料が変色可能な加熱温度域の面状発熱体１８を使用する。
【００３８】
また、各櫛状突起７は基板１９の一側面側に一体に突設されており、これら各櫛状突起７および基板１９はアルミ材等の熱伝導体により形成されている。そして、前記面状発熱体１８には各櫛状突起７が嵌通される嵌通孔１８ａがそれぞれ対応して形成されており、面状発熱体１８の各嵌通孔１８ａに各櫛状突起７が相対的に嵌通された装着状態においては、図１０に示されるように、各櫛状突起７が突設されたブラシ部８の領域内に位置して面状発熱体１８が配置された構造とされている。この面状発熱体１８の固定は、例えば、基板１９の表面に接着剤により接着する構造とすればよい。
【００３９】
そして、図１２に示されるように、ブラシ本体部６の裏面側より、面状発熱体１８や基板１９を組み付けてブラシ本体部６に装着し、基板１９の内面側とブラシ部材２の内部空間部２ａとを仕切って断熱材１４を装着する構造とされている。
【００４０】
ブラシ部材２におけるその他の部分は第１の実施形態と同様に構成されており、ぬいぐるみ１は第１の実施形態や第２の実施形態の構成が採用されている。また、面状発熱体１８は、例えば、図８に示される回路のニクロム線１０に換えて、接続配置する構造とされる。
【００４１】
本実施形態は以上のように構成されており、ぬいぐるみ１の表皮材３に備えられた擬毛を変色させて遊ぶ場合には、第１の実施形態や第２の実施形態と同様、ぬいぐるみ１の表面をブラシ部材２のブラシ部８でブラッシングすれば、ぬいぐるみ１の擬毛が加熱されて変色させることができ、第１の実施形態や第２の実施形態と同様の効果を奏する。
【００４２】
またこの際、加熱部が面状発熱体１８とされているため、ぬいぐるみ１の擬毛と直接接触する面積が大きく確保でき、擬毛の変色効果がより顕著に現れる利点がある。しかも、各櫛状突起７および基板１９が熱伝導体により構成されているため、各櫛状突起７によっても擬毛を予備加熱でき、この点からもより短時間のうちに効率よく擬毛を変色させることができる。
【００４３】
また、本実施形態において、自己温度調節機能を有する面状発熱体１８を用いた構造を示しているが、自己温度調節機能を有さない面状発熱体を用いる場合には、例えば、図９に示される回路のニクロム線１０に換えて、接続配置する構造とすればよい。
【００４４】
なお、上記各実施形態において、加熱部としてスミチューブ加工されたニクロム線１０や面状発熱体１８を採用した構造を示しているが、サーミスタ素子の加熱機能を加熱部として利用する構造としてもよい。この種のサーミスタ素子として、例えば、正の温度特性を有するＰＴＣ（ポジスタ）素子がある。このようなＰＴＣ素子は定温度発熱体であるため、温度調整用の別部材が不要で構造の簡素化が図れる利点がある。
【００４５】
また、加熱部による加熱によりぬいぐるみ１の擬毛を変色させる構造を示しているが、ぬいぐるみ付属品における加熱部に換えて冷却部を配置し、冷却部による冷却によりぬいぐるみ１の擬毛を変色させる構造としてもよい。この場合、冷却部として、例えば、ベルチェ素子を使用すればよい。
【００４６】
さらに、スイッチ１２として、そのオン操作から一定時間経過後にスイッチが切断されるようなタイマー回路を内蔵したスイッチを採用してもよく、この場合にはスイッチの切り忘れに有効に対処でき、安全性の向上が図れる。
【００４７】
また、ぬいぐるみ１の形状は犬に限られず、人やその他の動物であってもよく、ぬいぐるみ付属品も実施形態に示されるような形状のブラシ部材２に限られず、その他の形状であってもよい。
【００４８】
【発明の効果】
以上のように、本発明の可逆熱変色性ぬいぐるみセットによれば、可逆熱変色性材料を固着してなる擬毛を備えた表皮材を用いた可逆熱変色性ぬいぐるみと、擬毛をブラッシングするためのブラシ部を備えると共に、そのブラシ部領域内に位置して、加熱部もしくは冷却部が表面に露出して配置されたぬいぐるみ付属品とからなるものであり、ぬいぐるみの擬毛をぬいぐるみ付属品のブラシ部でブラッシングする簡単な動作で、表面に露出する加熱部もしくは冷却部をぬいぐるみの擬毛に直接接触させる方式であり、擬毛を効率よく加熱もしくは冷却でき、短時間のうちに擬毛を変色させることができる利点がある。
【００４９】
また、ブラシ部の領域内に位置して加熱部もしくは冷却部を配置する構造であり、高温の加熱部もしくは低温の冷却部が直接、肌に触れるのを有効に防止できる利点がある。
【００５０】
さらに、擬毛を備えた表皮材を用いたぬいぐるみに可逆熱変色性顔料を含有する塗料が吹き付け塗装された可逆熱変色性ぬいぐるみと、擬毛をブラッシングするためのブラシ部を備えると共に、そのブラシ部領域内に位置して、加熱部もしくは冷却部が表面に露出して配置されたぬいぐるみ付属品とからなる構造とすれば、上記同様の効果を奏すると共に、ぬいぐるみにおける擬毛の柔軟性を保つことができ、ぬいぐるみのしなやかさが失われることもなく、通常のぬいぐるみとしての魅力を維持することができる利点もある。
【００５１】
また、可逆熱変色性ぬいぐるみの一部に、可逆熱変色性顔料を含有する塗料が吹き付け塗装されてなる構造や、可逆熱変色性顔料を含有する塗料がマスキングを介して吹き付け塗装されてなる構造とすることによって、隠し紋様を自由自在に付けることができ、ぬいぐるみ付属品でぬいぐるみの表面をブラッシングするしぐさにより隠し紋様が浮き出てくるため、ますます魅力あるぬいぐるみを提供できる利点がある。
【００５２】
さらに、ぬいぐるみ付属品における加熱部にサーミスタ素子を用いた構造とすれば、構造の簡素化が図れる利点がある。
【図面の簡単な説明】
【図１】本発明の第１の実施形態にかかる可逆熱変色性ぬいぐるみセットの斜視図である。
【図２】同ブラシ部材の正面図である。
【図３】同背面図である。
【図４】同断面側面図である。
【図５】図４のＶ−Ｖ線断面図である。
【図６】同ブラシ本体部の一部櫛状突起を省略した斜視図である。
【図７】同ニクロム線配置部分の断面拡大図である。
【図８】同回路図である。
【図９】別の態様の回路図である。
【図１０】第３の実施形態にかかるブラシ部材の正面図である。
【図１１】同一部断面側面図である。
【図１２】同ブラシ本体部部分の分解斜視図である。
【図１３】同面状発熱体配置部分の断面拡大図である。
【符号の説明】
１  ぬいぐるみ
２  ブラシ部材
３  表皮材
５  グリップ部
６  ブラシ本体部
７  櫛状突起
８  ブラシ部
９  防護枠
１０  ニクロム線
１８  面状発熱体
【図１】
2004321668.tif 000003
【図２】
2004321668.tif 000004
【図３】
2004321668.tif 000005
【図４】
2004321668.tif 000006
【図５】
2004321668.tif 000007
【図６】
2004321668.tif 000008
【図７】
2004321668.tif 000009
【図８】
2004321668.tif 000010
【図９】
2004321668.tif 000011
【図１０】
2004321668.tif 000012
【図１１】
2004321668.tif 000013
【図１２】
2004321668.tif 000014
【図１３】
2004321668.tif 000015